(57)【特許請求の範囲】
【請求項１】
鉛直方向に設置される筒状のポールと、
前記ポールの上部において受光面が傾斜するように固定される太陽電池パネルと、
前記太陽電池パネルにより発電された電力を蓄える電源装置と、
前記ポールに取り付けられる灯具と、
前記ポールを側面から見た場合に、前記灯具とは反対側に形成され、前記ポールの内外を連通し、かつ上端が前記灯具よりも上方に位置する開口部と、
前記開口部を塞ぐ蓋部材と、
前記ポールの内側であって、前記ポールを側面から見た場合に、前記開口部の反対側であり、かつ前記灯具よりも上方の位置に設けられる、前記灯具の点灯設定を行う操作部と、を備える照明器具。
【請求項２】
請求項１に記載の照明器具において、
前記蓋部材を取り外すことによって、前記開口部を通じて前記操作部を直視することが可能である照明器具。
【請求項３】
請求項１または請求項２に記載の照明器具において、
前記ポールの上方に設けられる器具本体を有し、
前記太陽電池パネルは、前記器具本体における太陽側の面である前面に配置され、
前記電源装置は、前記器具本体における、前記前面とは反対側の背面に配置され、
前記灯具、前記操作部および前記開口部は、前記電源装置の下方に位置し、
前記電源装置から引き出されて前記ポールの内側に引き込まれている第１の器具内配線と、前記灯具から前記ポールの内側に引き出されている第２の器具内配線と、前記操作部から前記ポールの内側に引き出されている第３の器具内配線と、が結線されている照明器具。
【請求項４】
請求項１ないし請求項３のうちのいずれか１項に記載の照明器具において、
前記灯具に一端が係止されている落下防止具としての紐部材の他端が、前記蓋部材に係止される照明器具。
【請求項５】
請求項４に記載の照明器具において、
前記落下防止具が、ワイヤである照明器具。
【発明の詳細な説明】
【技術分野】
【０００１】
本発明は、太陽光を取り込んで電力を発生する太陽光発電装置を装備して街路灯や天井灯等に適用される照明器具に関する。
【背景技術】
【０００２】
従来より、太陽電池パネルおよび太陽電池パネルが発電した電力を蓄える電源装置を有する太陽光発電装置と、灯具と、をポールに設けた照明器具が知られている（例えば、特許文献１参照）。
特許文献１は、ポールの内部を中空状とし、中空状の内部に、電源装置を載置する複数の載置棚を有する棚組立部材を挿脱自在に配設している。
特許文献１は、ポールの側面に電源装置を交換可能とする開口部を設け、この開口部に開閉自在な蓋部材を設けている。
【先行技術文献】
【特許文献】
【０００３】
【特許文献１】特開２０１０−４０３０３号公報（図１、請求項１）
【発明の概要】
【発明が解決しようとする課題】
【０００４】
特許文献１は、電源装置のポール内部への装着を容易として組立作業や配線作業などの作業性を向上できる。
ところで、特許文献１と同様に、太陽電池パネルおよび太陽電池パネルが発電した電力を蓄える電源装置を有する太陽光発電装置と、灯具と、をポールに設けた照明器具が提案されている。
【０００５】
このような従来の照明器具は、太陽光発電装置のように、体積および質量の重い構造体を固定するポールの開口部が地際部付近に設けられていた。
そのため、このような従来の照明器具は、ポールの強度を確保するために、ポールの径を大きくする必要があり、それにより、設計上およびデザイン面で良好ではなかった。
【０００６】
また、このような従来の照明器具は、作業用のバケット車等の作業台においてポールの上部の施工を行いながら、地際部付近に設けられている開口部での点灯設定を行う等、作業者に余分な移動時間や作業工数を強いることが多い。
従って、このような従来の照明器具は、施工作業が良好ではなかった。
【０００７】
さらに、このような従来の照明器具は、地際部付近に開口部を有するために、歩行者が容易に触れることができるので、いたずら等による器具破損や故障も懸念される。
さらにまた、このような従来の照明器具は、地際部付近に開口部を有するために、水害での浸水や冠水による開口部の内部の電子部品の故障も懸念される。
【０００８】
加えて、このような従来の照明器具は、灯具の落下を防止するための落下防止具と、ポールの開口部を塞ぐ蓋の落下を防止するための落下防止具とが別個の構造になっていた。
従って、このような従来の照明器具は、施工作業が良好ではなかった。
【０００９】
本発明は、前述した課題を解決するためになされたものであり、その目的は、施工作業を良好にでき、浸水を防止できる照明器具を提供することにある。
【課題を解決するための手段】
【００１０】
本発明に係る照明器具は、鉛直方向に設置される筒状のポールと、前記ポールの上部において受光面が傾斜するように固定される太陽電池パネルと、前記太陽電池パネルにより発電された電力を蓄える電源装置と、前記ポールに取り付けられる灯具と、前記ポールを側面から見た場合に、前記灯具とは反対側に形成され、前記ポールの内外を連通し、かつ上端が前記灯具よりも上方に位置する開口部と、前記開口部を塞ぐ蓋部材と、前記ポールの内側であって、前記ポールを側面から見た場合に、前記開口部の反対側であり、かつ前記灯具よりも上方の位置に設けられる、前記灯具の点灯設定を行う操作部と、を備える。
【００１１】
本発明に係る照明器具は、前記蓋部材を取り外すことによって、前記開口部を通じて前記操作部を直視することが可能である。
【００１２】
本発明に係る照明器具は、前記ポールの上方に設けられる器具本体を有し、前記太陽電池パネルは、前記器具本体における太陽側の面である前面に配置され、前記電源装置は、前記器具本体における、前記前面とは反対側の背面に配置され、前記灯具、前記操作部および前記開口部は、前記電源装置の下方に位置し、前記電源装置から引き出されて前記ポールの内側に引き込まれている第１の器具内配線と、前記灯具から前記ポールの内側に引き出されている第２の器具内配線と、前記操作部から前記ポールの内側に引き出されている第３の器具内配線と、が結線されている。
【００１３】
本発明に係る照明器具は、前記灯具に一端が係止されている落下防止具としての紐部材の他端が、前記蓋部材に係止される。
【００１４】
本発明に係る照明器具は、前記落下防止具が、ワイヤである。
【発明の効果】
【００１５】
本発明に係る照明器具によれば、施工作業を良好にでき、浸水を防止できるという効果を奏する。
【図面の簡単な説明】
【００１６】
【図１】本発明に係る一実施形態の照明器具の正面図
【図２】本発明に係る一実施形態の照明器具の側面図
【図３】本発明に係る一実施形態の照明器具に適用される蓋部材の水平断面図
【図４】本発明に係る一実施形態の照明器具の要部側面図
【図５】本発明に係る一実施形態の照明器具の一部破断要部側面図
【図６】本発明に係る一実施形態の照明器具の変形例の要部側面図
【発明を実施するための形態】
【００１７】
以下、本発明に係る一実施形態の照明器具について図面を参照して説明する。
図１に示すように、本発明に係る一実施形態の照明器具１０は、太陽光発電装置１１と、灯具１２と、を備える。
照明器具１０は、地面９１上に鉛直方向に設置される筒状のポール１３と、ポール１３の上端部に設けられたポール受部（図２参照）１４と、ポール受部１４に固定される器具本体１５と、を備える。
【００１８】
太陽光発電装置１１は、器具本体１５に収容された太陽電池パネル１６と、電源装置（図２参照）１７と、を備える。
太陽電池パネル１６は、その受光面１８が太陽に向くように傾斜されている。
太陽光発電装置１１は、太陽電池パネル１６により発電された電力が電源装置１７により蓄えられ、電源装置１７に蓄えた電力を灯具１２に給電することにより、灯具１２を点灯させる。
【００１９】
ポール１３は、例えばアルミニウム製の型材により円筒形状に形成されており、その基部に、地面９１に埋設されるアンカー１９を備えている。
ポール受部１４は、溶接が可能な金属製であって、ポール１３の上端部に取り付けられており、上部に、同じく溶接が可能な金属製の器具本体１５が固定されている。
【００２０】
灯具１２は、例えば不図示の複数のＬＥＤをＬＥＤ基板に封止したＬＥＤユニットであり、ポール１３の上端部寄りにおいて取付ブラケット２０を介して取り付けられることにより、地面９１に向けた配光特性を有する。
灯具１２は、ＬＥＤ基板にプリント回路を有し、プリント回路が電源装置１７に電気的に接続されているために、電源装置１７から給電されることにより点灯する。
なお、灯具１２は、ＬＥＤユニットに限定されることはなく、電球や蛍光灯を適用することもできる。
【００２１】
図２に示すように、ポール受部１４は、ポール１３の上端部にねじ２１がねじ込まれることによりポール１３に固定されている。
太陽光発電装置１１は、太陽に向く器具本体１５の前面に太陽電池パネル１６を配置しており、器具本体１５の背面に電源装置１７を配置している。
ポール１３は、上端部寄りに取り付けられている灯具１２の反対側に、内外を連通する開口部２２が設けられている。開口部２２には、ねじ２３がポール１３にねじ込まれることにより蓋部材２４が閉成されている。
【００２２】
図３に示すように、蓋部材２４は、水平断面視が半円筒形状に形成された蓋本体２５を有し、この蓋本体２５の凹形状部分に架け渡されたワイヤ受部２６を有する。
図４に示すように、ポール１３の内側には、開口部２２の反対側に操作部２７が設けられている。
操作部２７は、作業者により、灯具１２の点灯設定を行う制御盤であり、開口部２２の反対側において灯具１２の上側に配置されている。
従って、蓋部材２４を取り外すことにより、開口部２２を通じて操作部２７を直視できるために、操作作業を簡単に行える。
【００２３】
このとき、開口部２２と同じ側に操作部２７が配置されている場合、作業者は手を折り曲げて操作部２７を操作することになり、煩雑な作業になって作業性が良好ではない。
また、操作部２７は、ポール１３の上端部寄りに取り付けられている灯具１２よりも上方に設けられている開口部２２の反対側に配置されている。
従って、従来のもののように、地際部付近に開口部を有さないために、歩行者が容易に触れることができず、いたずら等による器具破損や故障を防止でき、水害での浸水や冠水による開口部２２の内部の操作部２７の故障も防止できる。
【００２４】
また、作業用のバケット車等の作業台においてポール１３の上部の施工を行いながら、その位置において、開口部２２での点灯設定を同時に行える。
従って、作業者に余分な移動時間や作業工数を強いることがなくなって、施工作業を良好にできる。
【００２５】
図５に示すように、灯具１２と蓋部材２４のワイヤ受部２６とに落下防止具であるワイヤ２８がそれぞれ掛止されている。
ワイヤ２８は、伸びがなく、入手し易い金属製や樹脂製の紐部材であって、一端部に有する灯具連結部２９が灯具１２および取付ブラケット２０に係止されており、他端部に有する蓋部材連結部３０が蓋部材２４のワイヤ受部２６に係止されている。
【００２６】
ワイヤ２８は、取付ブラケット２０を含む灯具１２の自重に十分耐えられる強度を有し、蓋部材２４の自重に十分耐えられる強度を有する。
従って、高い強度を有して入手し易いワイヤ２８を適用することにより、別途に作成する場合と比べて、コスト面で有利にできる。
【００２７】
次に、照明器具１０の施工手順について説明する。
まず、電源装置１７から引き出されている不図示の器具配線をポール１３の内側に引き込みながらポール１３の上端部にポール受部１４を挿入する。
次に、開成されている開口部２２を通じて、電源装置１７からの器具配線と、灯具１２からポール１３の内側へ引き出されている不図示の器具配線と、操作部２７からポール１３の内側に引き出されている不図示の器具配線と、を結線する。
【００２８】
その後、ポール受部１４を通じてポール１３の上端部にねじ２１をねじ込むことによりポール受部１４をポール１３にねじ固定する。
そして、開成されている開口部２２を通じて、操作部２７を操作することにより点灯設定を行う。
続いて、一端部の灯具連結部２９が灯具１２および取付ブラケット２０に係止されているワイヤ２８の他端部の蓋部材連結部３０を開口部２２から引き出して蓋部材２４のワイヤ受部２６に係止する。
そして、ねじ２３をねじ込むことにより、開口部２２を蓋部材２４により閉成することにより、施工作業が完了する。
【００２９】
照明器具１０は、経年劣化に伴い、灯具１２が取付ブラケット２０から外れたり、取付ブラケット２０がポール１３から外れたりする場合がある。
しかし、取付ブラケット２０を含む灯具１２がポール１３から外れたとしても、ワイヤ２８の他端部の蓋部材連結部３０が蓋部材２４のワイヤ受部２６に係止されている。
従って、灯具１２および取付ブラケット２０の落下を防止できる。
【００３０】
また、開成されている開口部２２を通じて、操作部２７を操作して点灯設定を行う際に、蓋部材２４は、他端部の蓋部材連結部３０がワイヤ受部２６に係止されているワイヤ２８の一端部の灯具連結部２９が灯具１２および取付ブラケット２０に係止されている。
従って、蓋部材２４の落下を防止できる。
【００３１】
このとき、灯具１２および取付ブラケット２０の落下を防止するため、および、蓋部材２４の落下を防止するためのワイヤ２８が単一である。
従って、従来のもののように、落下防止具が別個の構造になっていないので、施工作業を良好にできる。
【００３２】
次に、照明器具１０の変形例について説明する。
図６に示すように、本変形例において、ワイヤ２８は、一端部に有する灯具連結部２９が灯具１２および取付ブラケット２０に係止されており、他端部に有するポール連結部３１がポール１３の開口部２２の上方の内側に有するワイヤ係止部３２に係止されている。
【００３３】
本変形例では、取付ブラケット２０を含む灯具１２がポール１３から外れたとしても、ワイヤ２８の他端部のポール連結部３１がポール１３の開口部２２の上方の内側に有するワイヤ係止部３２に係止されている。
従って、灯具１２および取付ブラケット２０の落下を防止できる。
【００３４】
以上、説明した本発明に係る一実施形態の照明器具１０によれば、従来のもののように、地際部付近に開口部を有さないために、歩行者が容易に触れることができず、いたずら等による器具破損や故障を防止できる。
そして、照明器具１０によれば、水害での浸水や冠水による開口部２２の内部の操作部２７の故障を防止できる。
【００３５】
また、照明器具１０によれば、操作部２７が灯具１２よりも上方に配置されているために、水害での浸水や冠水による開口部２２の内部の操作部２７の故障を確実に防止できる。
【００３６】
そして、照明器具１０によれば、操作部２７が開口部２２の反対側において灯具１２の上側に配置されているために、蓋部材２４を取り外すことにより、開口部２２を通じて操作部２７を直視できるので、操作作業を簡単に行える。
【００３７】
また、照明器具１０によれば、灯具１２および取付ブラケット２０と、蓋部材２４との落下を防止できる。
【００３８】
そして、照明器具１０によれば、従来のもののように、落下防止具が別個の構造になっていないので、単一部品のワイヤ２８により施工作業を良好にできる。
【００３９】
なお、本発明の照明器具において太陽電池パネル、器具本体、ポール、電源装置等は、前述した一実施形態に限定されるものではなく、適宜な変形や改良等が可能である。
【符号の説明】
【００４０】
１０  照明器具
１２  灯具
１３  ポール
１６  太陽電池パネル
１７  電源装置
１８  受光面
２２  開口部
２７  操作部
２８  ワイヤ（落下防止具）
【図１】
0005919552.tif 000002
【図２】
0005919552.tif 000003
【図３】
0005919552.tif 000004
【図４】
0005919552.tif 000005
【図５】
0005919552.tif 000006
【図６】
0005919552.tif 000007